(57)【特許請求の範囲】
【請求項１】
ホルダーの側辺に第一の掛止部を形成し、前記ホルダーに移動可能に支持されたスライドブロックに第二の掛止部を形成し、前記第一及び第二の掛止部で取付フレームを支持する取付ブラケットにおいて、
前記ホルダーの側辺には前記第一の掛止部の斜め上方で対向する接圧部を設け、前記第一の掛止部で前記取付フレームを支持するとき、前記接圧部と第一の掛止部とで取付フレームを斜め上下方向に挟着したことを特徴とする取付ブラケット。
【請求項２】
前記接圧部は山形に形成し、その頂点を前記取付フレームの角部に圧接したことを特徴とする請求項１記載の取付ブラケット。
【請求項３】
前記取付フレームは、アルミ押し出し形材で形成し、前記ホルダーは前記取付フレームより硬度の高い金属で形成したことを特徴とする請求項１または２記載の取付ブラケット。
【請求項４】
前記取付フレームには、前記第一の掛止部に係合する断面Ｔ字状のリブを設け、該リブの一側を前記第一の掛止部で斜め下方から支持するとともに、該リブの他側の角部に前記接圧部を斜め上方から圧接したことを特徴とする請求項１乃至３のいずれかに記載の取付ブラケット。
【請求項５】
前記側辺には、前記リブをほぼ水平方向にスライドさせて前記第一の掛止部内に案内可能とする案内凹部を設けたことを特徴とする請求項４に記載の取付ブラケット。
【請求項６】
前記ホルダーには、前記スライドブロックの係合部を係止して、該スライドブロックを取付フレームの支持位置に保持する係止孔を設け、前記係止孔には前記係合部の係止解除を円滑に行うための面取りを形成したことを特徴とする請求項１乃至５のいずれかに記載の取付ブラケット。
【発明の詳細な説明】
【０００１】
【発明の属する技術分野】
この発明は、ロールスクリーンあるいは横型ブラインド等を取付面に固定するための取付ブラケットに関するものである。
【０００２】
【従来の技術】
従来、ロールブラインドは取付フレームの両端に支持ブラケットが取着され、その支持ブラケット間にスクリーンの巻取軸が回転可能に支持される。取付フレームは、取付ブラケットを介して窓の上枠等の取付面に固定される。
【０００３】
そして、巻取軸に巻かれたスクリーンを巻き戻し、あるいはスクリーンを巻取軸に巻き取ることにより、スクリーンを昇降可能となっている。
取付ブラケットには、取付けフレームの横ずれ防止手段が設けられる。その横ずれ防止手段は、取付フレームとの間にゴム等の緩衝部材を挟着して、その摩擦力により取付フレームの横ずれを防止するもの、あるいは取付ブラケットに取付フレームに当接する突条を形成して、その摩擦力により取付フレームの横ずれを防止するもの等がある。
【０００４】
【発明が解決しようとする課題】
上記のようにゴム等の緩衝部材を使用する横ずれ防止手段では、部品点数が増大するとともに、緩衝部材と取付フレームとの間に十分な接触面積が必要となる。従って、緩衝部材を大型化する必要があるため、その緩衝部材を取付ブラケット内に設置するためのスペースを確保する必要がある。
【０００５】
取付フレームに突条を当接させる横ずれ防止手段では、取付フレームの成形誤差あるいは取付ブラケットの突条の成形誤差により、十分な摩擦力を確保できない場合がある。
【０００６】
また、取付ブラケットに対する取付フレームの取付誤差により、突条が取付フレームに確実に当接せず、十分な摩擦力を確保できない場合があるという問題点がある。
【０００７】
この発明の目的は、取付フレームの横ずれを簡単な構成で確実に防止し得る取付ブラケットを提供することにある。
【０００８】
【課題を解決するための手段】
請求項１では、ホルダーの側辺に第一の掛止部を形成し、前記ホルダーに移動可能に支持されたスライドブロックに第二の掛止部を形成し、前記第一及び第二の掛止部で取付フレームを支持する取付ブラケットにおいて、前記ホルダーの側辺には前記第一の掛止部の斜め上方で対向する接圧部を設け、前記第一の掛止部で前記取付フレームを支持するとき、前記接圧部と第一の掛止部とで取付フレームを斜め上下方向に挟着した。
【０００９】
請求項２では、前記接圧部は山形に形成し、その頂点を前記取付フレームの角部に圧接した。
請求項３では、前記取付フレームは、アルミ押し出し形材で形成し、前記ホルダーは前記取付フレームより硬度の高い金属で形成した。
【００１０】
請求項４では、前記取付フレームには、前記第一の掛止部に係合する断面Ｔ字状のリブを設け、該リブの一側を前記第一の掛止部で斜め下方から支持するとともに、該リブの他側の角部に前記接圧部を斜め上方から圧接した。
【００１１】
請求項５では、前記側辺には、前記リブをほぼ水平方向にスライドさせて前記第一の掛止部内に案内可能とする案内凹部を設けた。
請求項６では、前記ホルダーには、前記スライドブロックの係合部を係止して、該スライドブロックを取付フレームの支持位置に保持する係止孔を設け、前記係止孔には前記係合部の係止解除を円滑に行うための面取りを形成した。
【００１２】
【発明の実施の形態】
以下、この発明を具体化したロールブラインドの取付ブラケットの一実施の形態を図面に従って説明する。
【００１３】
図１及び図２に示すように、取付ブラケットはステンレス製の金属板を折り曲げて形成されるホルダー１と、合成樹脂で成形されるスライドブロック２と、コイルスプリング３とで構成される。
【００１４】
前記ホルダー１は、金属板の両側を直角に折り曲げて側辺４が形成され、さらに側辺４の端部を内側へ折り曲げることにより、スライドブロック２を移動可能に支持する支持片５が対向して設けられている。
【００１５】
前記ホルダー１の先端部において、前記側辺４には後方に向かって嘴状に突出する第一の掛止部６が形成されている。前記第一の掛止部６の斜め上方において、前記側辺４の前記第一の掛止部６に対向する位置には、第一の掛止部６に向かって山形に突出する接圧部７が形成されている。
【００１６】
また、山形の接圧部７の一辺は、前記第一の掛止部６に後記リブ１６ａを挿入するための案内凹部７ａとして前記側辺４に形成される。
前記ホルダー１の上辺８には、このホルダー１を窓の上枠等の取付面にネジ着するための取付孔９が形成されている。
【００１７】
前記スライドブロック２は、前記ホルダー１の上辺８、側辺４及び支持片５で囲まれる空間に挿入可能とする幅及び高さで成形され、その基端部には前記第一の掛止部６と対をなす第二の掛止部１０が形成されている。
【００１８】
そして、スライドブロック２をホルダー１の先端側から挿入すると、図１に示すように、前記第二の掛止部１０は第一の掛止部６に対向して断面嘴状に突出している。
【００１９】
前記スライドブロック２の一側部には、中央から基端側に向かって延びる係合片１１が形成され、その係合片１１の先端部には下方に向かって段差状に突出し、さらに先端に向かって上昇する斜面で構成される係合部１２が形成される。そして、係合片１１は合成樹脂の弾性により上方へ撓むようになっている。
【００２０】
前記支持片５の一方には、前記係合部１２を係止可能とした係止孔１３が形成されている。また、図３及び図４に示すように、前記係止孔１３の上縁を形成する支持片５の前記スライドブロック２の挿入方向位置には、面取り１９が形成されている。
【００２１】
前記ホルダー１の上辺８には、下方に向かって直角に折り曲げられる支点部１４が形成されている。前記スライドブロック２の上面とホルダー１の上辺８との間には前記コイルスプリング３が配設され、スライドブロック２は支点部１４を支点とするコイルスプリング３の付勢力により、図１に示す矢印Ａ方向に付勢されている。
【００２２】
図１に示すように、前記取付ブラケットで支持される取付フレーム１５は、アルミ押し出し形材で形成され、その前後上縁部には断面略Ｔ字状のリブ１６ａ，１６ｂが形成されている。
【００２３】
そして、取付ブラケットは第一及び第二の掛止部６，１０でリブ１６ａ，１６ｂを支持可能であり、第一の掛止部６でリブ１６ａを下方から支持した状態では、そのリブ１６ａの上面後端部に前記接圧部７が圧接されるようになっている。
【００２４】
前記取付フレーム１５の長手方向両端には支持ブラケット１７が取着され、その支持ブラケット１７間に巻取軸１８が回転可能に支持される。そして、その巻取軸１８でスクリーンを巻取りあるいは巻き戻して、スクリーンを昇降可能となっている。
【００２５】
次に、上記のように構成された取付ブラケットの動作を説明する。
取付ブラケットへの取付フレーム１５の取付けに先立って、取付ブラケットはそのホルダー１が取付面にネジ着され、スライドブロック２はコイルスプリング３の付勢力に抗してホルダー１内に挿入され、図４に示すように、係合部１２が係止孔１３を乗り越えて支持片５の端部に支持される状態まで挿入する。
【００２６】
また、取付フレーム１５には支持ブラケット１７を介して巻取軸１８を取着した状態とする。
この状態で、図５に示すように、取付フレーム１５斜めに傾けてそのリブ１６ａを第一の掛止部６内に挿入し、さらに取付フレーム１５のリブ１６ｂ側を上方へ持ち上げる。
【００２７】
すると、リブ１６ｂが第二の掛止部１０の斜面に当接して、スライドブロック２はコイルスプリング３の付勢力に抗して矢印Ｂ方向に移動する。
そして、リブ１６ｂが斜面を乗り越えるとき、リブ１６ｂが係合部１２を上方へ押し上げ、係合部１２と支持片５との係合が解除される。
【００２８】
すると、図１に示すように、コイルスプリング３の付勢力によりスライドブロック２が矢印Ａ方向に移動して、リブ１６ｂに第二の掛止部１０が係合し、リブ１６ａは第一の掛止部６に支持される。
【００２９】
このとき、第一の掛止部６はリブ１６ａを外側下方から支持し、第一の掛止部６の斜め上方に位置する接圧部７がリブ１６ａの後端角部に圧接されて、ホルダー１との間で十分な摩擦力が確保される。
【００３０】
すなわち、リブ１６ａは第一の掛止部６と接圧部７とで挟着された状態となり、図６に示すように、接圧部７がリブ１６ａの角部を押圧する力は、リブ１６ａを水平方向及び下方に押圧する力として作用する。また、第一の掛止部６がリブ１６ａを押圧する力は、リブ１６ａを水平方向及び上方に押圧する力として作用する。
【００３１】
また、取付フレーム１５はアルミ押し出し形材で形成され、ホルダー１はステンレス製であるので、接圧部７がリブ１６ａの後端角部に圧接されると、接圧部７がリブ１６ａに食い込むとともに、リブ１６ａが撓んで、大きな摩擦力が発生する。
【００３２】
また、図３に示すように、係合部１２は係止孔１３に係合して、コイルスプリング３の付勢力によるスライドブロック２の同方向へのそれ以上の移動が阻止される。
【００３３】
取付ブラケットから取付フレーム１５を取り外す場合には、コイルスプリング３の付勢力に抗してスライドブロック２をホルダー１内に押圧して、図４に示すように、係合部１２が支持片５の端部に支持される状態とすると、第二の掛止め部からリブ１６ｂを取り外し可能となり、次いでリブ１６ａを第一の掛止部６から取外せばよい。
【００３４】
上記のように構成された取付ブラケットでは、次に示す作用効果を得ることができる。
（１）第一の掛止部６と接圧部７とでリブ１６ａを斜め上下方向から挟着するようにして支持するので、リブ１６ａを水平方向及び垂直方向に圧接することができる。従って、取付フレーム１５の横ずれを確実に防止することができる。
（２）取付フレーム１５を支持した状態では、リブ１６ａの端縁部に対し接圧部７が食い込むようにして圧接されるので、ホルダー１と取付フレーム１５との摩擦力を十分に確保することができる。従って、取付フレーム１５の横ずれを確実に防止することができる。
（３）接圧部７をリブ１６ａに食い込ませ、かつリブ１６ａを撓ませるので、接圧部７及びリブ１６ａに寸法誤差が生じても、接圧部７の食い込み量あるいはリブ１６ａの撓み量が増減するだけで、摩擦力に大きな変化はない。従って、取付フレーム１５の横ずれを確実に防止することができる。
（４）取付フレーム１５を僅かに傾けた状態で、リブ１６ａを第一の掛止部６に係合させ、リブ１６ｂを上方へ持ち上げることにより取付フレーム１５を取付ブラケットに取着することができる。従って、取付フレーム１５及び巻取軸１８を収容ボックス内にあらかじめ取着された取付ブラケットに取着する場合にも、取付フレーム１５をほぼ真下から取付金具に取着することができるので、収容ボックスが取付作業の障害となることはない。
（５）係合部１２が係合する係止孔１３の上縁に面取り１９が形成されているので、スライドブロック２をホルダー１内に押圧するとき、係止孔１３上で係合部１２を円滑に移動させることができる。
（６）係止孔１３は、支持片５に四角孔として形成される。従って、係止孔１３の上縁部への面取り１９の成形を確実にかつ容易に行うことができる。
【００３５】
上記実施の形態は、次に示すように変更することもできる。
・上記取付ブラケットは、取付フレーム１５に代えて、横型ブラインド、プリーツカーテンあるいはたくし上げカーテンのヘッドボックスを支持してもよい。
【００３６】
【発明の効果】
以上詳述したように、この発明は取付フレームの横ずれを簡単な構成で確実に防止し得る取付ブラケットを提供することができる。
【図面の簡単な説明】
【図１】  一実施の形態の取付ブラケットを示す側面図である。
【図２】  取付ブラケットを示す分解斜視図である。
【図３】  係合部と係止孔の作用を示す断面図である。
【図４】  係合部と係止孔の作用を示す断面図である。
【図５】  取付ブラケットに対する取付フレームの取付動作を示す説明図である。
【図６】  第一の掛止部と接圧部の作用を示す説明図である。
【符号の説明】
１            ホルダー
２            スライドブロック
４            側辺
６            第一の掛止部
７            接圧部
１０          第二の掛止部
１５          取付フレーム
【図１】
0004939708.tif 000002
【図２】
0004939708.tif 000003
【図３】
0004939708.tif 000004
【図４】
0004939708.tif 000005
【図５】
0004939708.tif 000006
【図６】
0004939708.tif 000007